(57)【要約】【課題】  特にソフトウェアを記憶した記憶媒体の盗難を防止する場合、各記憶媒体に個別の識別番号を付し、正規のＩＤはその記憶媒体を購入した顧客のみにセンタサーバから付与することにより、確実な方法で且つ正確にＩＤ管理が可能で、且つ万引き犯に対して大きな抑止力を発揮する盗難防止システムを提供する。【解決手段】  この盗難防止システム１００は、店内に設置され複数のパッケージを陳列した陳列棚１と、この陳列棚１に陳列され、ソフトウェアの識別番号を記憶したＲＦＩＤタグ（識別番号記憶手段）７を取り付けたパッケージ（商品）２と、通信機能を有し商品代金の精算を行うＰＯＳ(Point Of Sale)レジスタ（レジスタ）３と、ＲＦＩＤタグ７に記憶された識別番号を読み取るリーダライタ（読取手段）４と、ＰＯＳレジスタ３から送信された識別番号を管理し、当該識別番号に該当するＩＤをＰＯＳレジスタ３に送信するセンタサーバ６と、返送されたＩＤを記録紙にプリントして可視像に変換するプリンタ（可視像化手段）９と、を備えて構成される。【選択図】  図１
2005250902.tif 000002
【特許請求の範囲】
【請求項１】
販売施設内からソフトウェアを記憶した記憶媒体の不正持ち出しを防止する盗難防止システムであって、前記ソフトウェアの識別番号を記憶した識別番号記憶手段と、該識別番号記憶手段に記憶された識別番号を読み取る読取手段と、通信機能を有し商品代金の精算の有無と前記読取手段が読み取った識別番号を記憶するレジスタと、該レジスタから送信された前記識別番号に該当するＩＤを前記レジスタに送信するセンタサーバと、前記ＩＤを可視像化する可視像化手段と、を備え、
前記識別番号記憶手段に記憶された識別番号を前記レジスタを介して前記センタサーバに送信することにより、該センタサーバは受信した識別番号を該当するＩＤに変換して前記レジスタに返送することを特徴とする盗難防止システム。
【請求項２】
前記レジスタは前記センタサーバから返送されたＩＤを前記可視像化手段により可視像化して発行することを特徴とする請求項１に記載の盗難防止システム。
【請求項３】
販売施設内からソフトウェアを記憶した記憶媒体の不正持ち出しを防止する盗難防止システムであって、前記ソフトウェアの識別番号を記憶した識別番号記憶手段と、該識別番号記憶手段に記憶された識別番号を読み取る読取手段と、通信機能を有し商品代金の精算の有無と前記読取手段が読み取った識別番号を記憶するレジスタと、該レジスタから送信された前記識別番号に該当するＩＤを前記レジスタに送信するセンタサーバと、前記ＩＤを可視像化する可視像化手段と、を備え、
前記識別番号記憶手段に記憶された識別番号を前記レジスタを介して前記センタサーバに送信することにより、該センタサーバは受信した識別番号を該当するＩＤに変換後、該ＩＤを暗号化して前記レジスタに返送することを特徴とする盗難防止システム。
【請求項４】
前記レジスタは前記センタサーバから返送された暗号化されたＩＤを復号して前記可視像化手段により可視像化して発行することを特徴とする請求項３に記載の盗難防止システム。
【請求項５】
販売施設内からソフトウェアを記憶した記憶媒体の不正持ち出しを防止する盗難防止システムであって、前記ソフトウェアの識別番号を記憶した識別番号記憶手段と、該識別番号記憶手段に記憶された識別番号を読み取る読取手段と、通信機能を有し商品代金の精算の有無と前記読取手段が読み取った識別番号を記憶するレジスタと、該レジスタから送信された前記識別番号に該当するＩＤを前記レジスタに送信するセンタサーバと、前記ＩＤを可視像化する可視像化手段と、を備え、
前記識別番号記憶手段に記憶された識別番号を暗号化して前記レジスタを介して前記センタサーバに送信することにより、該センタサーバは受信した識別番号を復号して該当するＩＤに変換後、該ＩＤを暗号化して前記レジスタに返送することを特徴とする盗難防止システム。
【請求項６】
前記レジスタは前記センタサーバから返送された暗号化されたＩＤを復号して前記可視像化手段により可視像化して発行することを特徴とする請求項５に記載の盗難防止システム。
【請求項７】
前記識別番号記憶手段は、他の情報を記憶する記憶手段を更に備え、該記憶手段は、前記識別番号記憶手段に記憶された識別番号又は暗号化された識別番号を前記レジスタを介して前記センタサーバに送信する際、代金精算済みである場合にその旨の情報を記憶することを特徴とする請求項１乃至６の何れか一項に記載の盗難防止システム。
【請求項８】
前記センタサーバは、前記記憶媒体が返品された記憶媒体であると認識した場合、当該記憶媒体のＩＤを異なるＩＤに変更することを特徴とする請求項１乃至７の何れか一項に記載の盗難防止システム。
【請求項９】
前記レジスタは前記センタサーバから返送されたＩＤを前記レシートに印刷することを特徴とする請求項１、３、又は５に記載の盗難防止システム。
【発明の詳細な説明】
【技術分野】
【０００１】
本発明は、盗難防止システムに関し、さらに詳しくは、パーソナルコンピュータ等のソフトウェアの盗難（万引き）を未然に防止するのに好適な盗難防止システムに関するものである。
【背景技術】
【０００２】
従来、小売店等の販売施設における商品の盗難、とりわけ万引きに対しては、警備員を巡回させたり、客になりすました専任の警備員を店内に配置して万引き犯に個別に対処していた。また、店内にビデオカメラを配置して万引き犯を監視するといった方法もとられていた。しかし、何れの方法にも限界があり、巧妙な手口に対して充分対処することができなかった。そこで、主として高価な商品に無線発信機を取り付け、未精算商品を店外に持ち出そうとする者がいる場合にこの無線発信機から発信される信号を受信して通報するシステムを備えたゲートを出口に設けて、店員等に通報する方法が開発されている。この場合、無線発信機は高価なため、適法に商品が精算される場合にはレジスタ担当者が無線発信機を商品から取り外し、廃棄せずに再使用している。しかし、この場合、万引き犯にとっても店内で無線発信機を商品から外して破棄することが可能であり、無線発信機を外された商品は、無線発信機を検知するシステムを備えたゲートを通過しても検出することができないといった問題があった。
また、販売施設にて販売する商品がアプリケーションソフトである場合は、そのソフトウェアを記憶した記憶媒体を収納するパッケージに、ＩＤ情報が印刷によって可視的に記録されたシールを貼付して販売するのが一般であり、購入した顧客が記憶媒体をＰＣにセットして使用するときに印刷されたＩＤを目視確認してキー入力することにより初めて当該ソフトウェアの使用が可能となるものであった。従って、そのパッケージごと万引きされた場合は、不正購入者によってソフトウェアの使用が可能となり真の意味での万引き防止策にはなり得なかった。
また従来技術として特開２００３−１４１６５０公報には、盗難防止機能付き物品識別標識とその物品識別標識を使用した物品管理システムについて開示されており、物品に取り付けられ物品に関する情報を含む物品識別標識において、物品の移動を監視するための盗難防止タグ部分と、物品の個別識別を行うために無線通信により情報の読み出し及び書き込みが可能なＲＦタグ部分とから成ることを特徴とする物品識別標識について開示されている。
【特許文献１】特開２００３−１４１６５０公報
【発明の開示】
【発明が解決しようとする課題】
【０００３】
以上のように、従来のソフトウェアの盗難防止対策では、店舗内に陳列されているソフトウェアの記憶媒体ごと万引きした場合、パッケージに予めＩＤが可視的に印刷されているため、当該記憶媒体をＰＣに装着して使用することが可能であった。そのため、記憶媒体そのものの持ち出しを監視する以外に盗難を防止する方法がなく、各パッケージに無線発信機等を取り付け、出口に無線発信機からの電波を受信するゲートを設けなければならず、店舗の設備費が嵩むといった問題がある。
また、特許文献１に開示されている従来技術は、物品に盗難防止タグとＲＦタグを取り付け、盗難防止タグにオンオフ情報を保持し、レジを通過しない未精算の場合には、万引き犯は、その情報がオンのままの物品を保持して店外に出ることになるので、出口に設けた検知手段によってこれを検知することにより、盗難を防止するものである。従って、物品の持ち出しを監視する以外に盗難を防止する方法がない点では、ソフトウェアの盗難防止対策と同様出口にこの電波を受信するゲートを設けなければならず、店舗の設備費が嵩むといった問題がある。
本発明は、かかる課題に鑑み、特にソフトウェアを記憶した記憶媒体の盗難を防止する場合、各記憶媒体に個別の識別番号を付し、正規のＩＤについては、その記憶媒体を購入した顧客のみにセンタサーバから付与することにより秘匿性を高め、確実な方法で且つ正確にＩＤ管理が可能で、且つ万引き犯に対して大きな抑止力を発揮する盗難防止システムを提供することを目的とする。
【課題を解決するための手段】
【０００４】
本発明はかかる課題を解決するために、請求項１は、販売施設内からソフトウェアを記憶した記憶媒体の不正持ち出しを防止する盗難防止システムであって、前記ソフトウェアの識別番号を記憶した識別番号記憶手段と、該識別番号記憶手段に記憶された識別番号を読み取る読取手段と、通信機能を有し商品代金の精算の有無と前記読取手段が読み取った識別番号を記憶するレジスタと、該レジスタから送信された前記識別番号に該当するＩＤを前記レジスタに送信するセンタサーバと、前記ＩＤを可視像化する可視像化手段と、を備え、前記識別番号記憶手段に記憶された識別番号を前記レジスタを介して前記センタサーバに送信することにより、該センタサーバは受信した識別番号を該当するＩＤに変換して前記レジスタに返送することを特徴とする。
本発明の最も大きな特徴は、識別番号記憶手段に記憶された識別番号をＩＤとして使用できなくしている点にあり、当該識別番号を用いて、ＰＣに装着したソフトウェアを動作させることができないようにした点である。即ち、ソフトウェアを万引きしてもＩＤを知ることができないので、事前に店内に「ＩＤは購入されたお客様のみにお知らせします。」旨の掲示をすることにより万引き犯に対する大きな抑止力とすることができる。そこで本発明では、識別番号を読取手段により読み取り、精算が済んだ場合に限りその識別番号をセンタサーバに送信する。それにより、センタサーバからその識別番号に対するＩＤを返信してもらうものである。
かかる発明によれば、識別番号記憶手段に記憶された識別番号をレジスタを介してセンタサーバに送信することにより、このセンタサーバは受信した識別番号を該当するＩＤに変換してレジスタに返送するので、事前にＩＤを知ることが不可能となり、万引きの大きな抑止力となる。
請求項２は、前記レジスタは前記センタサーバから返送されたＩＤを前記可視像化手段により可視像化して発行することを特徴とする。
ソフトウェアを購入した顧客は、レジでその商品を受け取るのが通常である。そこで本発明では、センタサーバから返送されたＩＤを可視像化手段により、例えば紙に印刷したり、磁化された磁気粉末により可視情報として表示窓に記録する可視磁気カードや、熱可逆性記録媒体からなるいわゆるＴＣフィルム等に可視的に表示した状態で顧客に見えるようにして手渡すものである。
かかる発明によれば、レジスタはセンタサーバから返送されたＩＤを可視像化手段により可視像化して発行するので、ソフトウェアを購入した顧客はＰＣに装着して使用する際に正確にＩＤを入力することが可能となる。
【０００５】
請求項３は、販売施設内からソフトウェアを記憶した記憶媒体の不正持ち出しを防止する盗難防止システムであって、前記ソフトウェアの識別番号を記憶した識別番号記憶手段と、該識別番号記憶手段に記憶された識別番号を読み取る読取手段と、通信機能を有し商品代金の精算の有無と前記読取手段が読み取った識別番号を記憶するレジスタと、該レジスタから送信された前記識別番号に該当するＩＤを前記レジスタに送信するセンタサーバと、前記ＩＤを可視像化する可視像化手段と、を備え、前記識別番号記憶手段に記憶された識別番号を前記レジスタを介して前記センタサーバに送信することにより、該センタサーバは受信した識別番号を該当するＩＤに変換後、該ＩＤを暗号化して前記レジスタに返送することを特徴とする。
本発明のシステムにおいては、識別番号記憶手段から読み取られた識別番号はそれ自体は購入者にとって格別の意味はないので他者に知られても差し支えない。しかし、センタサーバから返送されるＩＤは購入者以外に知られては不都合が生じる場合がある。そこで本発明では、センタサーバからレジスタに返送するＩＤを暗号化して、通信回線からそのＩＤを盗んでも正規のＩＤを解読できないようにするものである。
かかる発明によれば、識別番号記憶手段に記憶された識別番号をレジスタを介してセンタサーバに送信することにより、このセンタサーバは受信した識別番号を該当するＩＤに変換後、暗号化してレジスタに返送するので、通信回線からＩＤが盗まれても正規のＩＤを解読することが不可能となり、ＩＤの秘匿性を増すことができる。
請求項４は、前記レジスタは前記センタサーバから返送された暗号化されたＩＤを復号して前記可視像化手段により可視像化して発行することを特徴とする。
各レジスタには暗号を解読する暗号鍵が予め設定されている。従って、センタサーバから返送された暗号化されたＩＤをこの暗号鍵に基づいて復号することにより、人間が認識可能なＩＤとして発行することができる。
かかる発明によれば、レジスタはセンタサーバから返送された暗号化されたＩＤを復号して可視像化手段により可視像化して発行するので、人間が認識可能なＩＤとして受け取ることができる。
【０００６】
請求項５は、販売施設内からソフトウェアを記憶した記憶媒体の不正持ち出しを防止する盗難防止システムであって、前記ソフトウェアの識別番号を記憶した識別番号記憶手段と、該識別番号記憶手段に記憶された識別番号を読み取る読取手段と、通信機能を有し商品代金の精算の有無と前記読取手段が読み取った識別番号を記憶するレジスタと、該レジスタから送信された前記識別番号に該当するＩＤを前記レジスタに送信するセンタサーバと、前記ＩＤを可視像化する可視像化手段と、を備え、前記識別番号記憶手段に記憶された識別番号を暗号化して前記レジスタを介して前記センタサーバに送信することにより、該センタサーバは受信した識別番号を復号して該当するＩＤに変換後、該ＩＤを暗号化して前記レジスタに返送することを特徴とする。
本発明のシステムにおいては、識別番号記憶手段から読み取られた識別番号はそれ自体は格別の意味を有しないが、更に秘匿性を高めるためにこの識別番号も暗号化してセンタサーバに送信することが考えられる。そこで本発明では、レジスタからセンタサーバに送信する識別番号と、センタサーバからレジスタに返送するＩＤとを暗号化して、通信回線からその識別番号とＩＤを盗んでも正規のＩＤを解読できないようにするものである。
かかる発明によれば、識別番号記憶手段に記憶された識別番号を暗号化してレジスタを介してセンタサーバに送信することにより、このセンタサーバは受信した識別番号を復号して該当するＩＤに変換後、このＩＤを暗号化してＰＯＳレジスタに返送するので、通信回線から識別番号やＩＤが盗まれても正規のＩＤを解読することを不可能とすることにより、ＩＤの秘匿性を更に増すことができる。
請求項６は、前記レジスタは前記センタサーバから返送された暗号化されたＩＤを復号して前記可視像化手段により可視像化して発行することを特徴とする。
かかる発明によれば、請求項４と同様の作用効果を奏する。
【０００７】
請求項７は、前記識別番号記憶手段は、他の情報を記憶する記憶手段を更に備え、該記憶手段は、前記識別番号記憶手段に記憶された識別番号又は暗号化された識別番号を前記レジスタを介して前記センタサーバに送信する際、代金精算済みである場合にその旨の情報を記憶することを特徴とする。
本発明のシステムは本質的に万引き犯に対して、万引きしてもそのソフトウェアを使用することができないことを事前に知らせることにより、万引きの抑止力を高めるものである。しかし、それでも万引きされる可能性はゼロではない。そこで本発明では、代金が支払い済であるソフトウェアの識別番号記憶手段にその代金支払い済の記録を残すことにより、その記録がないソフトウェアを持ち出した場合には、警報システムを備えたゲートにおいて検出するものである。
かかる発明によれば、記憶手段は、識別番号記憶手段に記憶された識別番号又は暗号化された識別番号をレジスタを介してセンタサーバに送信する際、代金支払い済であることを確認後、代金支払い済である情報を記憶するので、その記録がないソフトウェアを持ち出した場合には、ゲートにおいて検出することができる。
請求項８は、前記センタサーバは、前記記憶媒体が返品された記憶媒体であると認識した場合、当該記憶媒体のＩＤを異なるＩＤに変更することを特徴とする。
基本的には一旦購入したソフトウェアは、返品することができない。その理由は、購入者がコピーした後で返品する行為を防止する必要があるからです。しかし、購入者の立場からすれば、やむを得ず、一旦購入したソフトウェアを未開封のまま他のソフトウェアと交換したい場合もある。このような場合、未開封のまま一度返品された商品であることをレジからセンタサーバに連絡することにより、センタサーバは同じＩＤを使用できないようにＩＤを変更する。これにより、一度顧客が知りえたＩＤを再度不正に使用することを防止することができる。
かかる発明によれば、センタサーバは、記憶媒体が返品された記憶媒体であると認識した場合、当該記憶媒体のＩＤを異なるＩＤに変更するので、返品されたソフトウェアのＩＤを再度不正に使用することを防止することができる。
請求項９は、前記レジスタは前記センタサーバから返送されたＩＤを前記レシートに印刷することを特徴とする。
ソフトウェアを購入した顧客は、レジでその商品のレシートを受け取るのが通常である。そこで本発明では、センタサーバから返送されたＩＤをレシートに印刷して顧客に手渡すものである。
かかる発明によれば、レジスタはセンタサーバから返送されたＩＤをレシートに印刷するので、ソフトウェアを購入した顧客に確実に手渡され、且つＩＤを可視像化する手段を別に設ける必要がなくなる。
【発明の効果】
【０００８】
以上のごとく請求項１の発明によれば、識別番号記憶手段に記憶された識別番号をレジスタを介してセンタサーバに送信することにより、このセンタサーバは受信した識別番号を該当するＩＤに変換してレジスタに返送するので、秘匿性が高まり、事前にＩＤを知ることが不可能となり、万引きの大きな抑止力となる。
また請求項２では、レジスタはセンタサーバから返送されたＩＤを可視像化手段により可視像化して発行するので、ソフトウェアを購入した顧客はＰＣに装着して使用する際に正確にＩＤを入力することが可能となる。
また請求項３では、識別番号記憶手段に記憶された識別番号をレジスタを介してセンタサーバに送信することにより、このセンタサーバは受信した識別番号を該当するＩＤに変換後、暗号化してレジスタに返送するので、通信回線からＩＤが盗まれても正規のＩＤを解読することを不可能となり、ＩＤの秘匿性を増すことができる。
また請求項４では、レジスタはセンタサーバから返送された暗号化されたＩＤを復号して可視像化手段により可視像化して発行するので、人間が認識可能なＩＤとして受け取ることができる。
また請求項５では、識別番号記憶手段に記憶された識別番号を暗号化してレジスタを介してセンタサーバに送信することにより、このセンタサーバは受信した識別番号を復号して該当するＩＤに変換後、このＩＤを暗号化してＰＯＳレジスタに返送するので、通信回線から識別番号やＩＤが盗まれても正規のＩＤを解読することを不可能とすることにより、ＩＤの秘匿性を更に増すことができる。
また請求項６では、請求項４と同様の作用効果を奏する。
また請求項７では、記憶手段は、識別番号記憶手段に記憶された識別番号又は暗号化された識別番号をレジスタを介してセンタサーバに送信する際、代金支払い済であることを確認後、代金支払い済である情報を記憶するので、その記録がないソフトウェアを持ち出した場合には、ゲートにおいて検出することができる。
また請求項８では、センタサーバは、記憶媒体が返品された記憶媒体であると認識した場合、当該記憶媒体のＩＤを異なるＩＤに変更するので、返品されたソフトウェアのＩＤを再度不正に使用することを防止することができる。
また請求項９では、レジスタはセンタサーバから返送されたＩＤをレシートに印刷するので、ソフトウェアを購入した顧客に確実に手渡され、且つＩＤを可視像化する手段を別に設ける必要がなくなる。
【発明を実施するための最良の形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１（ａ）は本発明の一実施形態の盗難防止システムの構成を示すブロック図であり、図１（ｂ）はＲＦＩＤタグ７を取り付けたパッケージ２の一例を表す図である。本実施形態では、ソフトウェアを記憶した記憶媒体をパッケージに収納して商品として販売する小売店を販売施設の一例として説明する。尚、以下、ソフトウェアとはＰＣ等のメモリにインストールしてＰＣ等を動作させるアプリケーションソフトウェアを指し、記憶媒体とはこのアプリケーションソフトウェアを記憶した記憶メディアを指し、パッケージとはこの記憶媒体を収納する容器を指す。
この盗難防止システム１００は、店内に設置され複数のパッケージを陳列した陳列棚１と、この陳列棚１に陳列され、ソフトウェアの識別番号を記憶したＲＦＩＤタグ（識別番号記憶手段）７を取り付けたパッケージ（商品）２と、通信機能を有し商品代金の精算を行うＰＯＳ(Point Of Sale)レジスタ（レジスタ）３と、ＲＦＩＤタグ７に記憶された識別番号を読み取るリーダライタ（読取手段）４と、ＰＯＳレジスタ３から送信された識別番号を管理し、当該識別番号に該当するＩＤをＰＯＳレジスタ３に送信するセンタサーバ６と、返送されたＩＤを記録紙にプリントして可視像に変換するプリンタ（可視像化手段）９と、を備えて構成される。尚、ＲＦＩＤタグ７の取り付け場所はパッケージ２のどこでも構わないし、パッケージ２内に収納された記憶媒体上でも構わない。また、ＰＯＳレジスタ３はネットワーク５によりセンタサーバ６と接続されている。また識別番号記憶手段は、識別番号をバーコードで印刷する方法、識別番号を磁気カードに記録する方法、印刷された識別番号を文字認識する方法でも構わない。また可視像化手段９とはインクやトナーを用いたプリンタ以外に、磁化された磁気粉末により可視情報として表示窓に記録する可視磁気カードや、熱可逆性記録媒体からなるいわゆるＴＣフィルム等でも構わない。
【００１０】
次に本実施形態の概略動作について説明する。図示しない顧客は陳列棚１から購入を希望するソフトウェアを探し、レジ台８にそのパッケージ（商品）２を持参する。店員は顧客が持参したパッケージ２上のＲＦＩＤタグ７にリーダライタ４をかざす。リーダライタ４はパッケージ２に取り付けられたＲＦＩＤタグ７に記憶された識別番号を読み取り、リーダライタ４の図示しないメモリに記憶する。そして顧客が料金を支払うと、店員はＰＯＳレジスタ３の図示しない精算済ボタンを押すことにより、識別番号がネットワーク５を介してセンタサーバ６に送信される。センタサーバ６ではその識別番号に対応する正規のＩＤを検索してネットワーク５を介してＰＯＳレジスタ３に検索したＩＤを返送する。ＰＯＳレジスタ３では受信したＩＤをプリンタ９により精算金額と共にレシートに印刷して顧客に手渡す。顧客は帰宅後、そのレシートに印刷されたＩＤをＰＣに入力することにより購入したソフトウェアを起動することができる。
このように本実施形態の最も大きな特徴は、ＲＦＩＤタグ７に記憶された識別番号はそのソフトウェアのＩＤではないということであり、識別番号を用いてソフトウェアを起動させることができない点である。即ち、ソフトウェアを万引きしてもＩＤを知ることができないので、事前に店内に「ＩＤは購入されたお客様のみにお知らせします。」の掲示をすることにより、万引きをたくらむ者に対して、万引きしてもソフトウェアが使用できないことを認識させて、万引きに対する大きな抑止力とするものである。
【００１１】
図２は本発明の第１の実施形態の盗難防止システムを説明する機能ブロック図である。同じ構成要素には同じ参照番号を付して説明する。本実施形態では、パッケージ２に取り付けられたＲＦＩＤタグ７には、例えば識別番号として「１２３４５」が記憶されているものとする。図示しない顧客は陳列棚１から自分が所望するソフトウェアを探し、レジ８にそのパッケージ２を持参する。店員は顧客が持参したパッケージ２をリーダライタ４にかざす。リーダライタ４はパッケージ２に取り付けられたＲＦＩＤタグ７に記憶された識別番号「１２３４５」を読み取り、一旦リーダライタ４の図示しないメモリに記憶する。そして顧客が料金を支払うと、店員がＰＯＳレジスタ３の図示しないボタン（例えば、精算済ボタン）を押すことにより、メモリに記憶された識別番号「１２３４５」をネットワーク５を介してセンタサーバ６に送信する。センタサーバ６では、制御部２４がその識別番号「１２３４５」に対応する正規のＩＤ「ＡＢＣＤＥ」を検索して変換部２１により変換し、ネットワーク５を介してＰＯＳレジスタ３に変換したＩＤ「ＡＢＣＤＥ」を返送する。ＰＯＳレジスタ３では受信したＩＤ「ＡＢＣＤＥ」をプリンタ９により精算金額と共にレシート２２に印刷して顧客に手渡す。顧客は帰宅後、そのレシート２２に印刷されたＩＤ「ＡＢＣＤＥ」を入力することにより購入したソフトウェアを起動することができる。
【００１２】
図３は本発明の第２の実施形態の盗難防止システムを説明する機能ブロック図である。同じ構成要素には同じ参照番号を付して説明する。本実施形態では、パッケージ２に取り付けられたＲＦＩＤタグ７には、例えば識別番号「１２３４５」が記憶されているものとする。図示しない顧客は陳列棚１から自分が所望するソフトウェアを探し、レジ８にそのパッケージ２を持参する。店員は顧客が持参したパッケージ２をリーダライタ４にかざす。リーダライタ４はパッケージ２に取り付けられたＲＦＩＤタグ７に記憶された識別番号「１２３４５」を読み取り、一旦リーダライタ４の図示しないメモリに記憶する。そして顧客が料金を支払うと、店員がＰＯＳレジスタ３の図示しないボタン（例えば、精算済ボタン）を押すことにより、メモリに記憶された識別番号「１２３４５」をネットワーク５を介してセンタサーバ６に送信する。センタサーバ６では、制御部２４がその識別番号「１２３４５」に対応する正規のＩＤ「ＡＢＣＤＥ」を検索して変換部２１により変換し、更に暗号化部２７により例えば、「ＹＹＹＹＹ」に暗号化してネットワーク５を介してＰＯＳレジスタ３に返送する。ＰＯＳレジスタ３では受信した暗号化されたＩＤ「ＹＹＹＹＹ」を復号化部２９により元のＩＤ「ＡＢＣＤＥ」に復号して、プリンタ９により精算金額と共にレシート２２にＩＤ「ＡＢＣＤＥ」を印刷して顧客に手渡す。顧客は帰宅後、そのレシート２２に印刷されたＩＤ「ＡＢＣＤＥ」を入力することにより購入したソフトウェアを起動することができる。尚、複合化部２９をＰＯＳレジスタ３に含めてもよい。
このように本実施形態のシステムにおいては、ＲＦＩＤタグ７から読み取られた識別番号「１２３４５」は格別の意味はない。しかし、センタサーバ６から返送されるＩＤ「ＡＢＣＤＥ」は購入者以外に知られては不都合が生じる場合がある。そこで、センタサーバ６からＰＯＳレジスタ３に返送するＩＤを「ＹＹＹＹＹ」と暗号化して、通信回線からそのＩＤを盗んでも正規のＩＤを解読できないようにするものである。そしてＰＯＳレジスタ３には暗号を解読する暗号鍵が予め渡されている。従って、センタサーバ６から返送された暗号化されたＩＤ「ＹＹＹＹＹ」をこの暗号鍵に基づいて復号することにより、人間が認識可能なＩＤ「ＡＢＣＤＥ」として発行することができる。
【００１３】
図４は本発明の第３の実施形態の盗難防止システムを説明する機能ブロック図である。同じ構成要素には同じ参照番号を付して説明する。本実施形態では、パッケージ２に取り付けられたＲＦＩＤタグ７には、例えば識別番号「１２３４５」が記憶されているものとする。図示しない顧客は陳列棚１から自分が所望するソフトウェアを探し、レジ８にそのパッケージ２を持参する。店員は顧客が持参したパッケージ２をリーダライタ４にかざすと、リーダライタ４はパッケージ２に取り付けられたＲＦＩＤタグ７に記憶された識別番号「１２３４５」を読み取り、一旦リーダライタ４の図示しないメモリに記憶する。そして顧客が料金を支払うと、店員はＰＯＳレジスタ３の図示しないボタン（例えば、精算済ボタン）を押すことにより、メモリに記憶された識別番号「１２３４５」を読み出し、それを暗号化部２３により「ＸＸＸＸＸ」に暗号化してネットワーク５を介してセンタサーバ６に送信する。センタサーバ６では、制御部２４がその暗号化された識別番号「ＸＸＸＸＸ」を復号化部２５により元の識別番号「１２３４５」に復号し、その識別番号「１２３４５」に対応する正規のＩＤ「ＡＢＣＤＥ」を検索して変換部２６により変換し、更に暗号化部２７により例えば、「ＹＹＹＹＹ」に暗号化してネットワーク５を介してＰＯＳレジスタ３に返送する。ＰＯＳレジスタ３では受信した暗号化されたＩＤ「ＹＹＹＹＹ」を復号化部２９により元のＩＤ「ＡＢＣＤＥ」に復号して、プリンタ９により精算金額と共にレシート２２にＩＤ「ＡＢＣＤＥ」を印刷して顧客に手渡す。顧客は帰宅後、そのレシート２２に印刷されたＩＤ「ＡＢＣＤＥ」を入力することにより購入したソフトウェアを起動することができる。
尚、センタサーバ６は復号化部２５を省略して暗号化部２３により暗号化された「ＸＸＸＸＸ」から正規のＩＤ「ＡＢＣＤＥ」に変換するようにしてもよい。また、暗号化部２３と複合化部２９をＰＯＳレジスタ３に含めてもよい。
このように本実施形態のシステムにおいては、ＲＦＩＤタグ７から読み取られた識別番号「１２３４５」は格別の意味はないが、更に秘匿性を高めるためにこの識別番号も「ＸＸＸＸＸ」と暗号化してセンタサーバ６に送信することが考えられる。そこで、ＰＯＳレジスタ３からセンタサーバ６に送信する識別番号「１２３４５」と、センタサーバ６からＰＯＳレジスタ３に返送するＩＤ「ＡＢＣＤＥ」とを暗号化して、通信回線からその識別番号とＩＤを盗んでも正規のＩＤを解読できないようにするものである。
【００１４】
図５は本発明の盗難防止システムにおいて、店舗の出口に盗難防止用のゲートを設置しない場合で、主に店舗内の顧客の動作について説明するフローチャートである。図１を参照して説明する。まず顧客は陳列棚１から自分が所望するソフトウェアを探し、レジ８にそのソフトウェアが収納されたパッケージ（商品）２を持参する（Ｓ１）。店員は顧客が持参したパッケージ２をリーダライタ４にかざす（Ｓ２）。ここでリーダライタ４で読み取られた識別番号が店舗で管理する正規の識別番号であるか否かをチェックする（Ｓ３）。尚、このチェック動作は、パッケージ２に取り付けられたＲＦＩＤタグ７の情報が、何らかの原因で正確に読み取られなかった場合を検出するものであり、センタサーバ６でチェックしても構わない。このチェックの結果、正規の識別番号でない場合は（Ｓ３でＮＯのルート）、その旨を表示して他のパッケージに替える（Ｓ１１）。ステップＳ３で正規の識別番号である場合は（Ｓ３でＹＥＳのルート）、ＰＯＳレジスタ３によりソフトウェアの代金を合計し（Ｓ４）、全ての合計が終了し（Ｓ５でＹＥＳのルート）、その合計代金の支払いが済むと（Ｓ６でＹＥＳのルート）、店員はＰＯＳレジスタ３の図示しない「精算済ボタン」を押すことにより（Ｓ７）、識別番号がネットワーク５を介してセンタサーバ６に送信される（Ｓ８）。センタサーバ６ではその識別番号に対応する正規のＩＤを検索してネットワーク５を介してＰＯＳレジスタ３に検索したＩＤを返送する。ＰＯＳレジスタ３では受信したＩＤをプリンタ９により精算金額と共にレシートに印刷して（Ｓ９）、そのレシートを顧客に手渡す（Ｓ１０）。顧客は帰宅後、そのレシートに印刷されたＩＤを入力することにより購入したソフトウェアを起動することができる。
【００１５】
図６は本発明の盗難防止システムにおいて、店舗の出口に盗難防止用のゲートを設置した場合で、主に店舗内の顧客の動作について説明するフローチャートである。図１を参照して説明する。まず顧客は陳列棚１から自分が所望するソフトウェアを探し、レジ８にそのパッケージ（商品）２を持参する（Ｓ２１）。店員は顧客が持参したパッケージ２をリーダライタ４にかざす（Ｓ２２）。ここでリーダライタ４で読み取られた識別番号が店舗で管理する正規の識別番号であるか否かをチェックする（Ｓ２３）。尚、このチェック動作は、パッケージ２に取り付けられたＲＦＩＤタグ７の情報が、何らかの原因で正確に読み取られなかった場合を検出するものであり、センタサーバ６でチェックしても構わない。このチェックの結果、正規の識別番号でない場合は（Ｓ２３でＮＯのルート）、その旨を表示して他のパッケージに替える（Ｓ３４）。ステップＳ２３で正規の識別番号である場合は（Ｓ２３でＹＥＳのルート）、ＰＯＳレジスタ３によりソフトウェアの代金を合計し（Ｓ２４）、全ての合計が終了し（Ｓ２５でＹＥＳのルート）、その合計代金の支払いが済むと（Ｓ２６でＹＥＳのルート）、店員はＰＯＳレジスタ３の図示しない「精算済ボタン」を押すことにより（Ｓ２７）、代金支払い済のパッケージに取り付けられたＲＦＩＤタグに代金済マークを記録する（Ｓ２８）。そして識別番号がネットワーク５を介してセンタサーバ６に送信される（Ｓ２９）。センタサーバ６ではその識別番号に対応する正規のＩＤを検索してネットワーク５を介してＰＯＳレジスタ３に検索したＩＤを返送する。ＰＯＳレジスタ３では受信したＩＤをプリンタ９により精算金額と共にレシートに印刷して（Ｓ３０）、そのレシートを顧客に手渡す（Ｓ３１）。顧客が受け取ったパッケージを持ってゲートに到着すると（Ｓ３２）、そのパッケージのＲＦＩＤタグに代金済マークが記憶されているか否かをチェックし（Ｓ３３）、代金済マークが記憶されていれば（Ｓ３３でＹＥＳのルート）、顧客はゲートを通過して（Ｓ３６）、帰宅後、そのレシートに印刷されたＩＤを入力することにより購入したソフトウェアを起動することができる。ステップＳ３３で代金済マークが記憶されていなければ（Ｓ３３でＮＯのルート）、警告音を発して店員に通報する（Ｓ３５）。この場合は万引き犯はＩＤを知らされていないので、ソフトウェアを起動することはできない。
【００１６】
このように本発明のシステムは本質的に万引き犯に対して、万引きしてもそのソフトウェアを使用することができないことを事前に知らせることにより、万引きの抑止力を高めるものである。しかし、それでも万引きされる可能性はゼロではない。そこで本実施形態では、代金が支払い済であるソフトウェアのＲＦＩＤタグにその代金支払い済の記録を残すことにより、その記録がないソフトウェアを持ち出した場合には、ゲートにおいて検出するものである。
また基本的には一旦購入したソフトウェアは、返品することができない。その理由は、コピーされた後、返品されることを防止するためである。しかし、未開封のまま他のソフトウェアと交換したい場合が発生することもある。このような場合、一度返品されたことをＰＯＳレジスタ３からセンタサーバ６に連絡することにより、センタサーバ６は同じＩＤを使用できないようにＩＤを変更する。これにより、一度顧客が知りえたＩＤを再度不正に使用することを防止することができる。
【図面の簡単な説明】
【００１７】
【図１】（ａ）は本発明の一実施形態の盗難防止システムの構成を示すブロック図、（ｂ）はＲＦＩＤタグ７を取り付けたパッケージ２の一例を表す図。
【図２】本発明の第１の実施形態の盗難防止システムを説明する機能ブロック図。
【図３】本発明の第２の実施形態の盗難防止システムを説明する機能ブロック図。
【図４】本発明の第３の実施形態の盗難防止システムを説明する機能ブロック図。
【図５】本発明の盗難防止システムにおいて、店舗の出口に盗難防止用のゲートを設置しない場合で、主に店舗内の顧客の動作について説明するフローチャート。
【図６】本発明の盗難防止システムにおいて、店舗の出口に盗難防止用のゲートを設置した場合で、主に店舗内の顧客の動作について説明するフローチャート。
【符号の説明】
【００１８】
１  陳列棚、２  パッケージ（商品）、３  ＰＯＳレジスタ（レジスタ）、４  リーダライタ（読取手段）、５  ネットワーク、６  センタサーバ、７  ＲＦＩＤタグ、８  レジ台、９  プリンタ
【図１】
2005250902.tif 000003
【図２】
2005250902.tif 000004
【図３】
2005250902.tif 000005
【図４】
2005250902.tif 000006
【図５】
2005250902.tif 000007
【図６】
2005250902.tif 000008